(57)【特許請求の範囲】
【請求項１】
生理用ナプキンとこれを個装する包装材とからなる生理用ナプキンの包装構造において、
上記包装材は、内面全面が剥離処理されており、その長手方向の一方の端部に凸部を有し、且つ他方の端部に該凸部と嵌合可能に形成された凹部を有しており、また、上記凸部にエンボス加工が施されており、
上記凸部は、半楕円形状又は半円形状で、上記包装材が延在して形成されており、
上記生理用ナプキンの非肌当接面の全面に、上記包装材を当接させ、該包装材が当接された該生理用ナプキンを、該包装材と一体に、該生理用ナプキンの長手方向を前方部、中央部及び後方部に略３等分する２つの折曲部において、該後方部、該前方部の順序で、該中央部の肌当接面側に３つ折にし、上記凸部を止着せずに上記包装材の両側縁部及び端部を止着してそれぞれ該両側縁部のシール部及び該端部のシール部を形成しており、
上記端部のシール部は、該端部の全域に亘って、ヒートシールにより形成されており、
上記包装材は、上記凸部が包装構造の表面に位置するように、上記生理用ナプキンを個装している、
ことを特徴とする生理用ナプキンの包装構造。
【請求項２】
請求項１記載の生理用ナプキンの包装構造の製造方法であって、
包装材の連続シートに生理用ナプキンを載置する載置工程と、包装材の連続シートをその幅に切断して、凸部を形成すると同時に凹部を形成し、長手方向の一方の端部に凸部を有し、且つ他方の端部に該凸部と嵌合可能に形成された凹部を有する包装材を順次形成する包装材形成工程と、少なくとも上記凸部にエンボス加工を施すエンボス工程と、上記凸部が表面に位置するように上記包装材で生理用ナプキンを個装し、所定位置をシールする個装工程とを具備し、上記包装材形成工程における上記凸部の形成と同時に上記エンボス工程における該凸部のエンボス加工を行うことを特徴とする生理用ナプキンの包装構造の製造方法。
【発明の詳細な説明】
【０００１】
【発明の属する技術分野】
本発明は、生理用ナプキンを包装材により個別に包装する生理用ナプキンの包装構造に関し、特に、開閉が容易であり、生産性に優れた、生理用ナプキンの包装構造に関する。
【０００２】
【従来の技術及び発明が解決しようとする課題】
吸収性物品としては、生理用ナプキン等があり、該生理用ナプキンは、通常、該ナプキンをショーツに固定し且つその使用中におけるズレを防止するための粘着層を有している。該生理用ナプキンは、その保存時には、包装材により個装された包装構造として保存されており、使用時に該包装材を引き剥がして生理用ナプキンを取り出すことにより使用される。
【０００３】
しかし、従来の包装構造では、上記包装材を引き剥がす時に、該包装材を摘みにくく、生理用ナプキンを取り出すのが困難であるという問題があった。
【０００４】
そこで、包装材の開封を容易にするべく、種々提案がなされている。
例えば、特公平３−１７６３７６号公報には、包装材の開封部にタックシール若しくはタックシールと同様の機能を有する摘み部を設けてなる包装構造が提案されており、ヨーロッパ特許公開公報第３５７０００号には、包装材の開封部を切断して摘み部を形成してなる包装構造が提案されており、特表平５−５０７４２７号公報には、包装材の開封部に封止用のタブを設けてなる包装構造が提案されている。
【０００５】
しかし、上述の提案にあるように、包装材の開封部に摘み部やタブを設けた場合には、包装材の加工工程で不要な部分を除去しなければならないため、カットロスが生じたり、工程が増加して生産性が低下するという問題がある。
また、タックシールを設ける場合も、タックシールを設ける工程を増設する必要が生じ生産性が低下するという問題がある。
【０００６】
従って、本発明の目的は、包装材の開封が容易で、生理用ナプキンの取り出し性に優れ、また、製造工程でカットロスが生じることがなく、生産性に優れた、生理用ナプキンの包装構造を提供することにある。
【０００７】
【課題を解決するための手段】
本発明者らは、上記問題を解消するために鋭意検討した結果、長手方向の一端に凸部を有し且つ他端に凹部を有する包装材を用いることにより、上記目的を達成しうることを知見した。
【０００８】
本発明は、上記知見に基づいてなされたものであり、生理用ナプキンとこれを個装する包装材とからなる生理用ナプキンの包装構造において、上記包装材は、内面全面が剥離処理されており、その長手方向の一方の端部に凸部を有し、且つ他方の端部に該凸部と嵌合可能に形成された凹部を有しており、また、上記凸部にエンボス加工が施されており、上記凸部は、半楕円形状又は半円形状で、上記包装材が延在して形成されており、上記生理用ナプキンの非肌当接面の全面に、上記包装材を当接させ、該包装材が当接された該生理用ナプキンを、該包装材と一体に、該生理用ナプキンの長手方向を前方部、中央部及び後方部に略３等分する２つの折曲部において、該後方部、該前方部の順序で、該中央部の肌当接面側に３つ折にし、上記凸部を止着せずに上記包装材の両側縁部及び端部を止着してそれぞれ該両側縁部のシール部及び該端部のシール部を形成しており、上記端部のシール部は、該端部の全域に亘って、ヒートシールにより形成されており、上記包装材は、上記凸部が包装構造の表面に位置するように、上記生理用ナプキンを個装している、ことを特徴とする生理用ナプキンの包装構造を提供するものである。
【０００９】
また、本発明は、上記生理用ナプキンの包装構造の製造方法の好ましい製造方法として、包装材の連続シートに生理用ナプキンを載置する載置工程と、包装材の連続シートをその幅に切断して、凸部を形成すると同時に凹部を形成し、長手方向の一方の端部に凸部を有し、且つ他方の端部に該凸部と嵌合可能に形成された凹部を有する包装材を順次形成する包装材形成工程と、少なくとも上記凸部にエンボス加工を施すエンボス工程と、上記凸部が表面に位置するように上記包装材で生理用ナプキンを個装し、所定位置をシールする個装工程とを具備し、上記包装材形成工程における上記凸部の形成と同時に上記エンボス工程における該凸部のエンボス加工を行うことを特徴とする生理用ナプキンの包装構造の製造方法を提供するものである。
【００１０】
【発明の実施の形態】
以下、図面を参照して本発明の生理用ナプキンの包装構造について詳細に説明する。
【００１１】
図１は、本発明の生理用ナプキンの包装構造の１形態を示す斜視図であり、図２は、生理用ナプキンの包装材による包装態様を示す概略斜視図であり、図３は、図１に示す包装構造における生理用ナプキンの底面を示す斜視図であり、図４は、図１に示す包装構造における包装材の内面を示す斜視図である。また、図５は、本発明の生理用ナプキンの包装構造の製造工程の要部を示す概略図である。
【００１２】
図１に示す本形態の生理用ナプキンの包装構造１は、生理用ナプキン１０とこれを個装する包装材２０とからなる。
【００１３】
更に詳細に説明すると、上記生理用ナプキンの包装構造１は、図１及び図２に示すように、生理用ナプキン１０の非肌当接面１２の全面に、内面全面が剥離処理された包装材２０を当接させ、該包装材２０が当接された該生理用ナプキン１０を、該包装材２０と一体に、該生理用ナプキン１０の長手方向を前方部１３、中央部１４及び後方部１５に略３等分する２つの折曲部１７において、該後方部１５、該前方部１３の順序で、該中央部１４の肌当接面１１側に３つ折にし、上記包装材２０の両側縁部２２及び端部２３（凸部２５を除く部分）を止着してシール部２，２’を形成している。
【００１４】
本発明の包装構造により包装される上記生理用ナプキン１０は、図１〜図３に示すように、肌当接面１１が液透過性のシート材により、また、非肌当接面１２が液不透過性のシート材によりそれぞれ形成され、更に上記肌当接面１１と非肌当接面１２との間に液保持性の吸収体を有する、通常の生理用ナプキンである。ここで、上記前方部１３は、包装構造の生産ラインにおいて生理用ナプキンの進行方向側に位置する部位である。
そして、図３に示すように、上記生理用ナプキン１０の非肌当接面１２の全面（前方部、中央部及び後方部）に帯状の粘着層１６が設けられており、該粘着層１６は、その全面が包装材２０の内面に剥離自在に粘着されている。
【００１５】
上記粘着層１６は、上記非肌当接面１２上に粘着剤を塗布するか、あるいは剥離処理した包装材２０に塗布した後上記非肌当接面上１２に転写する等して形成される。上記粘着層を形成する粘着剤としては、例えば、スチレン系ブロックポリマー、粘着付与剤及び軟化剤を主成分とし、スチレン相とゴム相との２相ブロック構造を保持しているものが用いられる。
【００１６】
上記包装材２０としては、図４に示すようにその内面全面が剥離処理されており（図４の斜線部分）、剥離性を有するものが好ましく、厚さ５〜５０μｍのポリプロピレン、ポリエステル、ポリエチレン、ポリビニルアルコール、あるいは不織布や紙、及びこれらの複合材料等の包装材料の内面全面を剥離処理した剥離シートが好ましく挙げられる。
本発明において、上記剥離処理を行うには、内面全面に、剥離処理剤を塗布するか又は剥離テープ又は剥離紙を貼付する等して行うことができる。剥離処理剤あるいは剥離テープの剥離材成分としてはシリコーン樹脂系、フッソ樹脂系、又はオクタデシルイソシアネート系等のものが好ましい。特に、上記剥離処理としては、上記剥離材成分として、シリコーン樹脂系のものを用いて、塗布して加熱乾燥するか、スプレーで吹きつけ薄い被膜を形成させる等するのが好ましい。
さらに、薄いポリオレフィンフィルムあるいはポリエステルフィルムを剥離処理し、上記包装材料に熱あるいは超音波等により接合したものが、適度な剛性を有しており、開封し易く、また耐熱性に優れているため生産上有利である。
【００１７】
而して、本形態の生理用ナプキンの包装構造１において、上記包装材２０は、図４に示すように、その長手方向の一方の端部２３に凸部２５を有し、且つ他方の端部２４に該凸部２５に対応する形状の凹部２６を有しており、また、図１に示すように、上記凸部２５にエンボス加工が施されている。
また、上記包装材２０は、上記凸部２５が包装構造１の表面に位置するように、上記生理用ナプキン１０を個装している。
【００１８】
更に詳細に説明すると、上記凸部２５は、半楕円形状であり、上記縁部２３の略中央部に設けられている。また、上記凹部２６も、半楕円形状であり、上記縁部２４の略中央部に設けられている。上記凸部２５（凹部２６）の大きさは、幅及び長さをそれぞれ５〜２０mmとするのが好ましい。
また、図１及び図２に示すように、上記凹部２６は、包装構造の内部（生理用ナプキン１０の前方部１３と中央部１４との間）に折り込まれており、上記凸部２５は、包装構造１の表面に位置し、包装構造の開封部２７を形成している。
また、上記エンボスを施した上記凸部２５の見かけ厚みは、１００〜２００μｍであるのが好ましく、エンボスを施していない部分の見かけ厚みの１．２〜５倍の厚みであるのが好ましい。
【００１９】
本形態の生理用ナプキンの包装構造１は、上述の如く、エンボスの施された開封部２７を有しているので、包装材の開封が容易であり生理用ナプキンの取出性に優れたものである。
また、上記開封部を形成している上記凸部は、上記凹部と嵌合可能なものであり、後述するように、該凹部と同時に形成されるものであるので、カットロス等が生じることがないため、本発明の生理用ナプキンの包装構造は、生産性に優れる。
【００２０】
次いで、本形態の生理用ナプキンの包装構造１の好ましい製造方法について説明する。
本形態の生理用ナプキンの包装構造１の好ましい製造方法は、包装材の連続シートに生理用ナプキンを載置する載置工程と、包装材の連続シートをその幅に切断して、凸部を形成すると同時に凹部を形成し、長手方向の一方の端部に凸部を有し、且つ他方の端部に該凸部と嵌合可能に形成された凹部を有する包装材を順次形成する包装材形成工程と、少なくとも上記凸部にエンボス加工を施すエンボス工程と、上記凸部が表面に位置するように上記包装材でナプキンを個装し、所定位置をシールする個装工程とを行なうことにより実施することができる。
【００２１】
更に、図５を参照して上記製造方法について詳細に説明すると、本形態の生理用ナプキンの包装構造１は、図５に示すように、内面全面が剥離処理された包装材の連続シート２０’上に粘着剤１６’を塗布し、この塗布された粘着剤１６’と位相合わせをしつつ生理用ナプキン１０を搬入して、包装材の連続シート２０’上に生理用ナプキン１０を載置することにより載置工程を行なう。そして、この際、上記粘着材１６’を生理用ナプキン１０に圧着して転移させる。
【００２２】
次いで、包装材の連続シート２０’をその幅方向に切断して、凸部２５を形成すると同時に凹部２６を形成し、上記包装材２０を順次形成することにより包装材形成工程を行なう。即ち、上記切断により、別個の包装材について、他方の端部の凹部と一方の端部の凸部とをそれぞれ同時に形成する。
ここで、上記連続シート２０’を切断する該所定位置は、得られる包装材２０が上記生理用ナプキン１０の非肌当接面１２全面をカバーする大きさとなる位置（包装材２０の長手方向両端縁が、それぞれ生理用ナプキン１０の長手方向両端縁よりも外側となる位置）であれば、特に制限されない。
【００２３】
また、上記包装材形成工程を行なうと同時にエンボス処理を行なってエンボス工程を行なう。即ち、上記包装材形成工程における上記切断と同時にエンボス処理を行なうことにより、上記凸部２５の形成と同時に該凸部２５にエンボス処理を行なう。
【００２４】
そして、図２に示すように、上記生理用ナプキン１０を、その２つの折曲部１７において、後方部１５、前方部１３の順に中央部１４上に、包装材２０と一体に折り重ねて、上記凸部２５が表面に位置するように上記包装材２０で生理用ナプキン１０を個装した後、該包装材２０の両側縁２２及び端縁２３をそれぞれヒートシールして止着することにより、上記個装工程を行なう。
【００２５】
尚、本発明の生理用ナプキンの包装構造は、上述した形態には何ら限定されるものではなく、本発明の趣旨を逸脱しない範囲で種々変更可能である。
例えば、上述した図１〜５に示す形態においては、上記粘着層を、生理用ナプキンの非肌当接面全面に設けた例で説明したが、本発明はこれに限定されるものではない。
即ち、粘着層の設置個数及び形状は特に制限されず、２ヵ所以上とすることもできる。
また、生理用ナプキンの形態も、羽付きのものとすることができる。
【００２６】
また、上記凸部（凹部）の形状は、半楕円形状のもので説明したが、半円形状とすることができ、例えば、図６（ａ）に示す形状等とすることができる。
また、上記のエンボスを施す位置も、上記凸部のみではなく、例えば、図６（ｂ）に示すように、端縁部２３’〔図６（ａ）及び（ｂ）の斜線部分〕にエンボスを施すこともできる。
【００３０】
更に、上記の生理用ナプキンの包装構造の製造方法についても、上述した図５に示す製造方法には限定されず、例えば、上記粘着層の形成に際して、包装材の内表面には粘着剤を塗布せずに生理用ナプキンの非肌当接面に直接該粘着剤を塗布して、上記粘着層を形成することにより、上記生理用ナプキンの包装構造を製造することもできる。
【００３１】
【発明の効果】
本発明の生理用ナプキンの包装構造は、包装材の開封が容易で、生理用ナプキンの取り出し性に優れ、また、製造工程でカットロスが生じることがなく、生産性に優れたものである。
【図面の簡単な説明】
【図１】  図１は、本発明の生理用ナプキンの包装構造の１形態を示す斜視図である。
【図２】図２は、生理用ナプキンを３つ折にする際の途中の形態を示す概略斜視図である。
【図３】図３は、図１に示す包装構造における生理用ナプキンの底面を示す斜視図である。
【図４】図４は、図１に示す包装構造における包装材の斜視図である。
【図５】図５は、本発明の生理用ナプキンの包装構造の製造工程の要部を示す概略図である。
【図６】図６（ａ）及び（ｂ）は、本発明に用いられる包装材の他の形態を示す平面図である。
【符号の説明】
１        生理用ナプキンの包装構造
２，２’  シール部
１０      生理用ナプキン
１１      肌当接面
１２      非肌当接面
１３      前方部
１４      中央部
１５      後方部
１６      粘着層
１７      折曲部
２０      包装材
２２      側縁
２３      一方の端部
２４      他方の端部
２５      凸部
２６      凹部
２７      開封部
【図１】
0004020442.tif 000002
【図２】
0004020442.tif 000003
【図３】
0004020442.tif 000004
【図４】
0004020442.tif 000005
【図５】
0004020442.tif 000006
【図６】
0004020442.tif 000007